(57)【要約】【課題】検査モード実行時の作業効率を向上できる電子機器を提供すること。【解決手段】電子機器は、位置情報衛星から送信される衛星信号を受信する受信回路３０と、受信回路３０を制御して、少なくとも位置情報を取得する測位モードでの受信処理を実行する制御装置４０とを備える。制御装置４０は、測位モードでの受信処理が行われた場合に、受信した衛星信号から緯度、経度、高度を求める位置情報算出部４４０と、緯度、経度、高度のうちの少なくとも１つの値が、予め設定された条件に該当する場合に、予め設定されている検査モードを実行する検査モード実行部４６０とを備える。【選択図】図３
2014163706.tif 000002
【特許請求の範囲】
【請求項１】
位置情報衛星から送信される衛星信号を受信する受信部と、
前記受信部が受信した衛星信号から緯度、経度、高度を求める位置情報算出部と、
前記緯度、経度、高度のうちの少なくとも１つの値が、予め設定された条件に該当する場合に、予め設定されている検査処理を実行する検査処理実行部と、を備える
ことを特徴とする電子機器。
【請求項２】
請求項１に記載の電子機器において、
前記検査処理実行部は、
前記高度の値が前記条件に該当する場合に、前記高度の値に応じて、前記検査処理の種類を選択して実行する
ことを特徴とする電子機器。
【請求項３】
請求項１に記載の電子機器において、
前記検査処理実行部は、
前記緯度または前記経度の少なくとも一方の値が前記条件に該当する場合に、前記緯度または前記経度の少なくとも一方の値に応じて前記検査処理の種類を選択して実行する
ことを特徴とする電子機器。
【請求項４】
位置情報衛星から送信される衛星信号を受信する受信部と、
前記受信部が受信した衛星信号から少なくとも緯度、経度を求める位置情報算出部と、
前回の受信処理時に前記位置情報算出部で求めた緯度および経度で特定される地点と、今回の受信処理時に前記位置情報算出部で求めた緯度および経度で特定される地点との距離が予め設定された条件に該当し、かつ、前回の受信処理から今回の受信処理までの経過時間が設定された条件に該当する場合に、予め設定されている検査処理を実行する検査処理実行部と、を備える
ことを特徴とする電子機器。
【請求項５】
請求項４に記載の電子機器において、
前記検査処理実行部は、
前記距離に応じて前記検査処理の種類を選択して実行する
ことを特徴とする電子機器。
【請求項６】
位置情報衛星から送信される衛星信号を受信する受信部と、
前記受信部が受信した衛星信号から緯度、経度、高度を求める位置情報算出部と、
前記緯度、経度、高度のうちの少なくとも１つの値が、予め設定された条件に該当する場合に、予め設定されている書き換え処理を実行する書き換え処理実行部と、を備える
ことを特徴とする電子機器。
【請求項７】
請求項６に記載の電子機器において、
前記書き換え処理実行部は、
前記高度の値が前記条件に該当する場合に、前記高度の値に応じて、前記書き換え処理の種類を選択し、
前記緯度または経度の一方の値に応じて、書き換え対象を選択し、
前記緯度または経度の他方の値に応じて設定される値で、前記書き換え対象の値を書き換える
ことを特徴とする電子機器。
【請求項８】
請求項６または請求項７に記載の電子機器において、
前記受信部における同調回路用の設定値、モーター用のパラメーター、タイムゾーン設定値、サマータイム設定値の少なくともいずれか一つが記憶された記憶部を備え、
前記書き換え対象は、前記記憶部に記憶された設定値である
ことを特徴とする電子機器。
【請求項９】
請求項１から請求項８のいずれかに記載の電子機器において、
時刻を計時する計時部と、
前記時刻を表示する時刻表示部と、
前記受信部の受信処理によって時刻情報の取得に成功した場合に、前記時刻情報によって前記計時部で計時している時刻を修正する時刻修正部と、を備える
ことを特徴とする電子機器。
【発明の詳細な説明】
【技術分野】
【０００１】
本発明は、ＧＰＳ衛星等の位置情報衛星から送信される衛星信号を受信して時刻情報の取得や位置検出を行う電子機器に関する。
【背景技術】
【０００２】
ＧＰＳ（Global Positioning System）衛星から送信される衛星信号を受信して測位や時刻修正を行う電子時計が知られている（例えば、特許文献１）。
ところで、衛星信号を受信する電子時計では、様々な動作テスト（検査処理）を行うためのテストモードが設定されている。このテストモードは、電子時計の製造工場や、アフターサービスで実行されるものである。このようなテストモード（検査モード）は、通常、所定のボタン操作を行うことで実行していた。
【０００３】
ここで、前記ボタン操作を簡単にすると、ユーザーの意図しない操作で検査処理が実行されてしまうおそれがある。このため、従来は、複雑なボタン操作を行うことで、検査処理を実行していた。
【０００４】
また、前記電子時計では、受信回路における同調回路のパラメーターや、タイムゾーンの設定などの衛星信号の受信処理で参照する値を記憶装置に記憶し、電子時計の種類や、タイムゾーンの設定値が変更された場合などに、前記記憶装置の値を書き換える必要がある。
このため、電子時計において、前記値を書き換える場合には、サービスセンターにおいて、裏蓋を取り外してケース内部を露出させ、ケース内部に配置された回路基板にアクセスして前記記憶装置の値を変更していた。
【先行技術文献】
【特許文献】
【０００５】
【特許文献１】特開２０１１−２３７３１４号公報
【発明の概要】
【発明が解決しようとする課題】
【０００６】
しかしながら、検査処理を実行させるためのボタン操作が複雑であるため、検査工程において検査処理を実行させる場合の操作が煩雑となり、検査の作業効率が低下するという問題があった。
【０００７】
また、記憶装置の値を変更する場合も、裏蓋を取り外す必要があるため、書き換え作業が煩雑となり、作業効率が低下するという問題があった。
【０００８】
本発明の一つの目的は、検査処理実行時の作業効率を向上できる電子機器を提供することにある。
本発明の他の目的は、値の書き換え作業時の作業効率を向上できる電子機器を提供することにある。
【課題を解決するための手段】
【０００９】
本発明の電子機器は、位置情報衛星から送信される衛星信号を受信する受信部と、前記受信部が受信した衛星信号から緯度、経度、高度を求める位置情報算出部と、前記緯度、経度、高度のうちの少なくとも１つの値が、予め設定された条件に該当する場合に、予め設定されている検査処理を実行する検査処理実行部と、を備えることを特徴とする。
【００１０】
本発明によれば、検査処理実行部は、位置情報算出部で算出した緯度、経度、高度の少なくとも１つの値が、設定条件に該当する場合に検査処理を実行する。このため、検査員がボタン操作で検査処理を実行する必要が無く、ＧＰＳシミュレーター等で発生する模擬信号を、実行する検査処理に合わせて設定し、受信操作を行うだけでよいので、検査工程を容易に実行できる。このため、前記衛星信号を受信する衛星信号受信装置や電子時計等の電子機器を検査する場合の作業効率を向上できる。
また、ボタン操作で検査処理を実行しないので、ユーザーの意図しないボタン操作で誤って検査処理を実行することも確実に防止できる。
【００１１】
ここで、前記検査処理実行部は、前記高度の値が前記条件に該当する場合に、前記高度の値に応じて、前記検査処理の種類を選択して実行することが好ましい。
この場合、前記高度の値を、例えば、衛星信号を受信可能な地表において最も高度の低い地域である死海の高度約−４００ｍよりも小さく設定することができる。この場合、通常の受信処理で前記高度の値を受信することがないため、誤って検査処理が実行されることを防止できる。さらに、高度の値は、５０ｍ単位や１００ｍ単位で容易に変更できるため、高度の値に応じて検査処理の種類を容易に選択して実行することができる。
【００１２】
また、前記検査処理実行部は、前記緯度または前記経度の少なくとも一方の値が前記条件に該当する場合に、前記緯度または前記経度の少なくとも一方の値に応じて前記検査処理の種類を選択して実行するものでもよい。
この場合、前記緯度、経度の値を、例えば、北極点や南極点、あるいは太平洋や大西洋の洋上など、通常のユーザーが移動することが殆ど無い場所に設定すれば、通常の受信処理で前記緯度や経度の値を受信することがない。このため、誤って検査処理が実行されることを防止できる。さらに、緯度や経度の値によって、複数の地点を設定できるため、緯度や経度の値に応じて検査処理の種類を容易に選択して実行することができる。
【００１３】
本発明の電子機器は、位置情報衛星から送信される衛星信号を受信する受信部と、前記受信部が受信した衛星信号から少なくとも緯度、経度を求める位置情報算出部と、前回の受信処理時に前記位置情報算出部で求めた緯度および経度で特定される地点と、今回の受信処理時に前記位置情報算出部で求めた緯度および経度で特定される地点との距離が予め設定された条件に該当し、かつ、前回の受信処理から今回の受信処理までの経過時間が設定された条件に該当する場合に、予め設定されている検査処理を実行する検査処理実行部と、を備えることを特徴とする。
【００１４】
本発明によれば、検査処理実行部は、２回の受信処理によって求められる経過時間および移動距離が、設定条件に該当する場合に検査処理を実行する。このため、検査員がボタン操作で検査処理を実行する必要が無く、ＧＰＳシミュレーター等で発生する模擬信号を、前記２回の受信処理時にそれぞれ異なる場所（前記移動距離の条件に該当するような位置）を算出するように変更し、測位処理での受信操作を行うだけでよいので、検査工程を容易に実行できる。このため、検査工程における作業効率を向上できる。
また、ボタン操作で検査処理を実行しないので、ユーザーの意図しないボタン操作で誤って検査処理を実行することも確実に防止できる。
この場合、前記距離の値を、前記経過時間内には飛行機でも移動できない距離に設定することができる。この場合、通常の２回の受信処理で前記距離の値となることがないため、さらに、誤って検査処理が実行されることを防止できる。
また、位置情報の算出を行わない受信処理（例えば、衛星信号から時刻情報を取得する測時受信処理）を有する場合は、「前回および今回の受信処理」とは、測時受信処理ではなく、前回位置情報の算出を行った受信処理と、今回位置情報の算出を行った受信処理である。
【００１５】
ここで、前記検査処理実行部は、前記距離に応じて前記検査処理の種類を選択して実行することが好ましい。
前記距離の値は、模擬信号の設定によって容易に変更できるため、距離の値に応じて検査モードの種類を容易に選択して実行することができる。
【００１６】
本発明の電子機器は、位置情報衛星から送信される衛星信号を受信する受信部と、前記受信部が受信した衛星信号から緯度、経度、高度を求める位置情報算出部と、前記緯度、経度、高度のうちの少なくとも１つの値が、予め設定された条件に該当する場合に、予め設定されている書き換え処理を実行する書き換え処理実行部と、を備えることを特徴とする。
【００１７】
本発明によれば、書き換え処理実行部は、例えば、位置情報算出部で算出した位置情報の高度によって書き換え処理を選択し、緯度や経度によって、データの書き換え対象と、書き換えデータとを設定できる。このため、電子機器の製造・販売後に、各種データを書き換える場合に、従来のように、電子機器をサービスセンターに回収して裏蓋をあけて回路基板にアクセスする必要が無く、ＧＰＳシミュレーターで模擬信号を発生し、電子機器で受信処理を行うだけでよいので、書き換え工程を容易に実行できる。このため、サービスセンターではなく、時計の販売店の店頭でも容易に書き換え作業を行うことができ、作業効率を向上できる。
また、裏蓋を開閉する必要が無いため、電子機器の防水性等が低下することも防止できる。
【００１８】
ここで、前記書き換え処理実行部は、前記高度の値が前記条件に該当する場合に、前記高度の値に応じて、前記書き換え処理の種類を選択し、前記緯度または経度の一方の値に応じて、書き換え対象を選択し、前記緯度または経度の他方の値に応じて設定される値で、前記書き換え対象の値を書き換えることが好ましい。
この場合、タイムゾーンやサマータイムの設定値を書き換える場合に、書き換え対象の地域などを緯度の値で選択し、設定値を経度の値で書き換えることができるので、１回の受信処理で緯度、経度、高度の３つのデータを受信するだけ、容易に書き換えることができる。従って、書き換え作業の効率の向上できる。
【００１９】
また、前記受信部における同調回路用の設定値、モーター用のパラメーター、タイムゾーン設定値、サマータイム設定値の少なくともいずれか一つが記憶された記憶部を備え、前記書き換え対象は、前記記憶部に記憶された設定値であることが好ましい。
この場合、記憶部に記憶された受信用やモーター用の様々な設定値を容易に書き換えることができる。
【００２０】
また、受信処理を指示する操作部を備え、前記操作部によって受信処理を指示する操作が行われた場合に、前記受信部が受信処理を実行することが好ましい。
検査処理の実行や、データの書き換え処理の実行を、操作部の操作による受信処理を行うだけでよいので、検査員の作業効率を向上できる。また、この受信操作は、実際の受信操作と同じであり、特別な操作を行う必要が無いため、この点でも作業性を向上できる。
【００２１】
本発明の電子機器は、時刻を計時する計時部と、前記時刻を表示する時刻表示部と、前記受信部の受信処理によって時刻情報の取得に成功した場合に、前記時刻情報によって前記計時部で計時している時刻を修正する時刻修正部と、を備えることを特徴とする。
本発明では、検査処理や、データの書き換え処理を、受信処理を行うだけで実行できるので、検査員の作業効率を向上できる。
【図面の簡単な説明】
【００２２】
【図１】本発明の電子時計およびＧＰＳシミュレーターを示す図である。
【図２】電子時計の概略断面図である。
【図３】電子時計およびＧＰＳシミュレーターの構成を示すブロック図である。
【図４】記憶装置の構成を示すブロック図である。
【図５】電子時計の手動受信処理を示すフローチャートである。
【図６】第２実施形態の手動受信処理を示すフローチャートである。
【図７】第３実施形態の手動受信処理を示すフローチャートである。
【図８】第４実施形態の電子時計およびＧＰＳシミュレーターの構成を示すブロック図である。
【図９】第４実施形態の手動受信処理を示すフローチャートである。
【図１０】同調回路の構成を示す図である。
【図１１】ブロック化されたタイムゾーンを説明するための図である。
【発明を実施するための形態】
【００２３】
以下、本発明の具体的な実施形態を図面に基づいて説明する。
［第１実施形態］
図１は、本発明の第１実施形態に係る電子時計１（電子機器）と、ＧＰＳシミュレーター８００とを示す図であり、図２は電子時計１の概略断面図である。
図１に示すように、電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を取得するように構成されている。なお、ＧＰＳ衛星１００は、本発明における位置情報衛星の一例であり、地球の上空に複数存在している。現在は約３０個のＧＰＳ衛星１００が周回している。
【００２４】
［電子時計］
図１から明らかなように、電子時計１は、使用者の手首に装着される腕時計であり、文字板１１および指針１２（時刻表示部）を備え、時刻を計時して表示する。
文字板１１の大部分は、光および１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２および時針１２３を含み、歯車を介してステップモーターで駆動される。
【００２５】
［操作部の操作］
電子時計１では、リューズ１４やボタン１５、１６を有する操作部７０の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための手動受信処理（強制受信処理）が実行される。
また、ボタン１６が押されると、受信モード（測時モードまたは測位モード）を切り替える切替処理が実行される。ここで測時モードとは、衛星信号から時刻情報を取得するモードである。また、測位モードとは、衛星信号に基づいて測位演算することで位置情報を取得し、衛星信号から時刻情報を取得するモードである。なお、測位モードにおいて、衛星信号から時刻情報を取得しなくてもよい。このボタン１６の操作による受信モードの設定は、後述する記憶装置６０に記憶される。この際、測位モードに設定された場合には、秒針１２１が「Ｆｉｘ」の位置（１０秒位置）に移動し、測時モードに設定された場合には、秒針１２１が「Ｔｉｍｅ」の位置（５秒位置）に移動する。このため、利用者は設定された受信モードを容易に確認できる。
なお、後述する定時受信処理時には、ボタン１６で設定されたモードに関係なく、受信モードを測時モードまたは測位モードに固定してもよいし、定時受信処理時もボタン１６で設定された受信モードで制御してもよい。本実施形態では、後述するように、定時受信処理時は測時モードに固定している。
【００２６】
また、ボタン１５が短時間（例えば３秒未満）押されると、前回の受信処理の結果を表示する結果表示処理が行われる。すなわち、測位モードで受信成功の場合には、秒針１２１が「Ｆｉｘ」（１０秒位置）の位置に移動し、測時モードで受信成功の場合には、秒針１２１が「Ｔｉｍｅ」（５秒位置）の位置に移動する。また、受信失敗の場合には秒針１２１が「Ｎ」の位置（２０秒位置）に移動する。
なお、これらの秒針１２１による指示は受信中も行われる。測位モードで受信中は秒針１２１が「Ｆｉｘ」の位置（１０秒位置）に移動し、測時モードで受信中は秒針１２１が「Ｔｉｍｅ」の位置（５秒位置）に移動する。また、ＧＰＳ衛星が捕捉できない場合は秒針１２１が「Ｎ」の位置（２０秒位置）に移動する。
【００２７】
［電子時計の構造］
図２に示すように、電子時計１は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、ムーブメント２１、ソーラーセル２２、ＧＰＳアンテナ２３、二次電池２４などが配置されている。
【００２８】
ムーブメント２１は、指針１２を駆動するステップモーターや輪列２１１を含む駆動機構２１０を備えて構成されている。ステップモーターは、モーターコイル２１２、ステーター、ローターなどで構成されており、輪列２１１や回転軸１３を介して指針１２を駆動する。
【００２９】
ムーブメント２１の裏蓋２０側には、回路基板２５が配置されている。
回路基板２５には、ＧＰＳアンテナ２３で受信した衛星信号を処理する受信回路３０と、前記受信回路３０やステップモーターの駆動制御などの各種の制御を行う制御装置４０などが取り付けられている。受信回路３０や制御装置４０は、二次電池２４から供給される電力で駆動される。
【００３０】
［ソーラーセル］
ソーラーセル２２は、光エネルギーを電気エネルギーに変換する光発電を行う光発電素子である。ソーラーセル２２は、発生した電力を出力するための電極を備え、文字板１１の裏面側に配置されている。文字板１１の大部分は、光が透過し易い材料で形成されているから、ソーラーセル２２は、表面ガラス１９および文字板１１を透過した光を受光して光発電を行うことができる。
【００３１】
ソーラーセル２２は、ソーラーパネル支持基板２２０で支持されている。ソーラーパネル支持基板２２０は、例えば、ＢＳ（真鍮）、ＳＵＳ（ステンレス鋼）、チタン合金などの金属材料により形成される厚さ寸法が例えば０．１ｍｍの導電性基板である。このことにより、ソーラーパネル支持基板２２０は、近接して配置されるＧＰＳアンテナ２３と同じ電流分布となってＧＰＳアンテナ２３の一部として機能する。
このソーラーパネル支持基板２２０は、外装ケース１７に接触しないように組み込まれる。すなわち、ソーラーパネル支持基板２２０は、外周縁が外装ケース１７の内周面と離間して接触することなく配置される。
【００３２】
ソーラーセル２２は、導通コイルばね２２Ａを介して回路基板２５に導通され、ソーラーセル２２で発電された電流は、導通コイルばね２２Ａを介して二次電池２４に蓄電される。
文字板１１およびソーラーセル２２は、各々の外周径がダイヤルリング１４０の内周径に合わせて形成され、各々の外周はダイヤルリング１４０で隠されているので、ソーラーパネル支持基板２２０が外部から視認されることはない。また、ソーラーパネル支持基板２２０の外形寸法は、ソーラーセル２２や文字板１１よりも大きな寸法とされ、前記ＧＰＳアンテナ２３の下面位置まで拡大されている。
【００３３】
［ＧＰＳアンテナ］
ＧＰＳアンテナ２３は、矩形断面形状を有するリング状の誘電体基材２３１を備え、その表面にアンテナ電極２３２が形成されたリングアンテナである。
誘電体基材２３１は、電波の波長を短縮させるものであり、例えばアルミナ（εｒ＝８．５）を主成分としたセラミックスや、マイカを成分としたセラミックスである、いわゆるマイカレックス（εｒ＝６．５〜９．５）、ガラス（εｒ＝５．４〜９．９）、ダイヤモンド（εｒ＝５．６８）などで構成できる。
【００３４】
アンテナ電極２３２は、誘電体基材２３１の表面に、銅や銀などの導電性の金属素子を印刷したり、銀や銅などの導電性の金属板を誘電体基材２３１の表面に貼り付けたりすることで、誘電体基材２３１に線状に一体的に形成される。なお、アンテナ電極２３２は、誘電体基材２３１の表面に無電解めっきでパターン形成することで形成してもよい。
【００３５】
アンテナ電極２３２には、接続ピン３１が接触されている。この接続ピン３１は、略円筒状の接続基部３２に挿入されている。接続基部３２は、回路基板２５上のプリント配線に接続されて立設されている。
接続ピン３１および接続基部３２は、プリント配線を介して受信回路３０に電気的に接続されている。接続基部３２は、筒内部に例えばコイルばねなどの付勢部材が設けられており、接続基部３２に挿入された接続ピン３１をアンテナ電極２３２側に付勢している。これにより、接続ピン３１は、アンテナ電極２３２の給電点に押圧され、例えば電子時計１に衝撃が加わった際でも、接続ピン３１とアンテナ電極２３２との接続状態が維持される。
【００３６】
本実施形態において、導電性部材製の裏蓋２０はＧＰＳアンテナ２３のグランド板（反射板）を兼ねている。裏蓋２０は、ムーブメント２１に設けられた接地端子２６に導通している。接地端子２６は、ムーブメント２１の受信回路３０のグランド電位に接続している。このため、裏蓋２０は、接地端子２６を介して受信回路３０のグランド電位に電気的に接続しており、表面ガラス１９側から入射する電波をＧＰＳアンテナ２３に向かって反射させるグランド板（反射板）として機能する。なお、裏蓋２０に接触している導電性部材の外装ケース１７もグランド電位となるため、外装ケース１７もグランド板として機能する。
さらに、裏蓋２０および外装ケース１７が金属製なので、グランド板として機能する他に、利用者の腕に装着した場合のＧＰＳアンテナ２３への影響を回避できる。つまり、ケースがプラスチックケースだと、近傍にある腕の影響を受けて装着時と非装着時でＧＰＳアンテナ２３の共振周波数が変動し、性能差が出て好ましくない。しかし、ケースが金属製なので、そのシールド効果により腕の影響を回避でき、本実施形態では装着時と非装着時とのアンテナ特性に差が殆どなく、安定した受信性能が得られる。ただし、受信感度を上げるために、プラスチックケースを採用することもできる。
【００３７】
［二次電池］
二次電池２４は、電子時計１の電源であり、ソーラーセル２２で発生した電力を蓄積する。
電子時計１では、ソーラーセル２２の二つの電極と二次電池２４の二つの電極とを、二本の導通コイルばね２２Ａによってそれぞれ電気的に接続することが可能であり、接続時には、ソーラーセル２２の光発電によって二次電池２４が充電される。なお、本実施形態では、二次電池２４として、携帯機器に好適なリチウムイオン電池を用いているが、リチウムポリマー電池や他の二次電池を用いてもよいし、二次電池とは異なる蓄電体（例えば容量素子）を用いてもよい。
【００３８】
［衛星信号受信装置の回路構成］
図３は、電子時計１における衛星信号受信装置１０の回路構成とＧＰＳシミュレーター８００の構成とを示すブロック図である。この図に示すように、衛星信号受信装置１０は、受信回路３０（受信部）と、制御装置４０（制御部）と、計時装置５０（計時部）と、記憶装置６０（記憶部）と、操作部７０とを備えている。
【００３９】
［記憶装置の構成］
記憶装置６０は、図４に示すように、時刻データ記憶部６００と、検査モード設定記憶部６７０と、タイムゾーンデータ記憶部６８０と、定時受信時刻記憶部６９０とを備えている。
【００４０】
時刻データ記憶部６００には、受信時刻データ６１０と、閏秒更新データ６２０と、内部時刻データ６３０と、時計表示用時刻データ６４０と、タイムゾーンデータ６５０とが記憶される。
【００４１】
受信時刻データ６１０には、衛星信号から取得した時刻情報（ＧＰＳ時刻）が記憶される。この受信時刻データ６１０は、通常は、計時装置５０で時刻を計時するために用いられる基準信号で更新され、衛星信号を受信した際には、取得した時刻情報（ＧＰＳ時刻）によって修正される。
【００４２】
閏秒更新データ６２０には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６２０に記憶している。
【００４３】
内部時刻データ６３０には、内部時刻情報が記憶される。この内部時刻情報は、受信時刻データ６１０に記憶されたＧＰＳ時刻と、閏秒更新データ６２０に記憶している「現在の閏秒」とによって更新される。すなわち、内部時刻データ６３０には、ＵＴＣ（協定世界時）が記憶されることになる。受信時刻データ６１０が前記基準信号で更新される際に、この内部時刻情報も更新される。
【００４４】
時計表示用時刻データ６４０には、前記内部時刻データ６３０の内部時刻情報に、タイムゾーンデータ６５０のタイムゾーンデータを加味した時刻データが記憶される。タイムゾーンデータ６５０は、測位モードで受信した場合に得られる位置情報で設定される。
【００４５】
タイムゾーンデータ記憶部６８０は、位置情報（緯度、経度）とタイムゾーン（時差情報）とを関連付けて記憶している。このため、測位モードで位置情報を取得した場合、その位置情報（緯度、経度）に基づいてタイムゾーンデータを取得できるようにされている。
例えば、日本標準時は、ＵＴＣに対して９時間進めた時刻（ＵＴＣ＋９）であるため、側位モードで取得した位置情報が日本である場合には、制御装置４０は、タイムゾーンデータ記憶部６８０から日本標準時の時差情報（＋９時間）を読み出してタイムゾーンデータ６５０に記憶する。
【００４６】
なお、タイムゾーンデータ記憶部６８０には、さらに、都市名とタイムゾーンデータとを関連付けて記憶してもよい。この場合、操作部７０の操作によって、利用者が現地時刻を知りたい都市名を選択すると、制御装置４０は、タイムゾーンデータ記憶部６８０に対して利用者が設定した都市名を検索し、その都市名に対応するタイムゾーンデータを取得してタイムゾーンデータ６５０に設定すればよい。
【００４７】
定時受信時刻記憶部６９０には、定時受信制御部４１０による定時受信処理を実行する定時受信時刻が記憶される。
【００４８】
検査モード設定記憶部６７０には、後述する表１に示す検査モード（検査処理）を実行する条件が設定されて記憶されている。
【００４９】
［受信回路］
受信回路３０は、二次電池２４に蓄積された電力で駆動される負荷であり、制御装置４０によって駆動されると、ＧＰＳアンテナ２３を通じてＧＰＳ衛星１００から送信される衛星信号を受信する。そして、受信回路３０は、衛星信号の受信に成功した場合には、取得した軌道情報やＧＰＳ時刻情報などの情報を制御装置４０へ送信する。一方、衛星信号の受信に失敗した場合には、受信回路３０は、その旨の情報を制御装置４０へ送信する。なお、受信回路３０の構成は、公知のＧＰＳ受信回路の構成と同様であるため、その説明を省略する。
【００５０】
［制御装置］
制御装置４０は、電子時計１を制御するＣＰＵで構成されている。制御装置４０は、受信回路３０を制御して受信処理を実行する受信制御部として、定時受信制御部４１０と、手動測時受信制御部４２０と、手動測位受信制御部４３０を備える。また、制御装置４０は、位置情報算出部４４０と、時刻修正部４５０と、検査モード実行部４６０（検査処理実行部）を備える。
【００５１】
［定時受信制御部］
定時受信制御部４１０は、計時装置５０で計時している時刻、具体的には内部時刻データ６３０が、記憶装置６０の定時受信時刻記憶部６９０に記憶された定時受信時刻になった際に、受信回路３０を作動して測時モードでの受信処理を行うものである。
【００５２】
［手動測時受信制御部］
手動測時受信制御部４２０は、受信モードが測時モードに設定されている状態で、操作部７０のボタン１５を利用者が意図して数秒（例えば３秒）以上押した場合に、受信回路３０を作動して測時モードでの受信処理（手動受信処理、強制受信処理）を行うものである。
なお、受信モードは、前述のとおり、ボタン１６を押すことで選択できる。すなわち、ボタン１６を押す毎に、受信モードは、測時モードおよび測位モードで切り替わる。
【００５３】
［手動測位受信制御部］
手動測位受信制御部４３０は、受信モードが測位モードに設定されている状態で、操作部７０のボタン１５を利用者が意図して数秒（例えば３秒）以上押した場合に、受信回路３０を作動して測位モードでの受信処理（手動受信処理、強制受信処理）を行うものである。
【００５４】
［位置情報算出部］
位置情報算出部４４０は、受信回路３０で受信した衛星信号に基づいて、緯度、経度、高度、つまり測位情報を算出して求めるものである。なお、位置情報算出部４４０が算出する高度は、通常、地球の形を近似した楕円体からの高さを算出して用いているが、これに限らず、海面からの高さである標高、海抜を算出して用いてもよい。
【００５５】
［時刻修正部］
時刻修正部４５０は、受信した衛星信号から時刻情報を取得し、取得した時刻情報によって計時装置５０で計時している受信時刻データ６１０を修正し、さらに閏秒更新データ６２０で補正して内部時刻データ６３０を修正するものである。
【００５６】
［検査モード実行部］
検査モード実行部４６０は、電子時計１における各種の検査処理（検査モード）を実行するものである。
本実施形態の検査モード実行部４６０は、受信した衛星信号に基づいて位置情報算出部４４０で算出された高度の値によって検査モードが選択されて実行される。高度の値に対する検査モードの具体例を表１に示す。
【００５７】
【表１】
2014163706.tif 000003
【００５８】
［計時装置］
計時装置５０は、ムーブメント２１を備え、二次電池２４に蓄積された電力で駆動されて計時処理を行う。計時処理では、時刻を計時する一方、計時時刻に応じた時刻（表示時刻）を指針１２で指示する。
【００５９】
［ＧＰＳシミュレーター］
ＧＰＳシミュレーター８００は、模擬信号設定部８１０と、模擬信号発生部８２０とを備え、アンテナ８５０からＧＰＳ信号の模擬信号を出力する装置である。
模擬信号設定部８１０は、緯度、経度、高度、日時、衛星数、信号強度等のＧＰＳ信号に設定される各パラメーターを設定する。各パラメーターの具体的な設定値は、ＧＰＳシミュレーター８００に設けたボタンを操作して入力してもよいし、ＧＰＳシミュレーター８００にパソコン等を接続し、パソコンから設定値を送信して入力してもよい。
【００６０】
模擬信号発生部８２０は、模擬信号設定部８１０で設定されたパラメーターに基づいて模擬的なＧＰＳ信号（模擬信号）を発生する。すなわち、模擬信号発生部８２０で発生した模擬信号を、電子時計１の衛星信号受信装置１０で受信し、位置情報算出部４４０で位置情報を算出した際に、算出される位置情報が前記模擬信号設定部８１０で設定されたパラメーターとなるように、模擬信号の軌道情報などを設定する。
そして、模擬信号発生部８２０は、アンテナ８５０を介して前記模擬信号を出力する。
【００６１】
［制御装置の動作］
図５は、第１実施形態における衛星信号受信装置１０での手動受信処理ＳＡ１０を示すフローチャートである。
制御装置４０は、まず、操作部７０による測位モードでの手動受信操作があったか否かを判定する（ＳＡ１１）。ＳＡ１１でＮｏと判定された場合は、ＳＡ１１の判定処理を繰り返す。
【００６２】
ＳＡ１１でＹｅｓと判定された場合、制御装置４０は、手動測位受信制御部４３０を作動して測位モードでの受信処理を開始する（ＳＡ１２）。
ＳＡ１２での受信処理が開始された後、制御装置４０は、衛星信号の受信に成功したか否かを判定する（ＳＡ１３）。
【００６３】
制御装置４０は、ＳＡ１３でＮｏと判定した場合（受信に失敗した場合）は、内部時刻やタイムゾーンの修正を行わずに、手動受信処理を終了する。
一方、制御装置４０は、衛星信号の受信に成功したと判定した場合（ＳＡ１３：Ｙｅｓの場合）には、位置情報算出部４４０を作動して、取得した衛星信号に基づく位置情報を算出する（ＳＡ１４）。
【００６４】
位置情報の算出後、制御装置４０は、算出した位置情報における高度が−５００ｍ未満であるか否かを判定する（ＳＡ１５）。制御装置４０は、ＳＡ１５でＮｏと判定した場合、時刻修正部４５０によって、取得した時刻情報によって内部時刻を修正し、位置情報によってタイムゾーンデータ６５０を修正する（ＳＡ１６）。
内部時刻データ６３０およびタイムゾーンデータ６５０が修正されると、時計表示用時刻データ６４０も修正され、指針１２の指示も連動して修正される。
【００６５】
一方、制御装置４０は、ＳＡ１５でＹｅｓと判定した場合は、検査モードの種類を判断して、検査を実行する（ＳＡ１７）。
なお、高度が−５００ｍ未満の場合に、検査モードを実行するのは以下の理由からである。すなわち、ＧＰＳ衛星１００の衛星信号を受信可能な地点において最も高度が低いのは、高度が−約４００ｍ程度である「死海」のエリアである。従って、−５００ｍ未満となる現実の地点は存在しないため、受信した衛星信号に基づいて位置情報を算出した際に、高度が−５００ｍ未満であった場合には、ＧＰＳシミュレーター８００で発生した模擬信号を受信していると判断できる。
【００６６】
そこで、検査モード実行部４６０は、前記表１に示すように、取得した高度に応じた検査を実行する。このため、ＧＰＳシミュレーター８００の模擬信号設定部８１０は、実行したい検査モードの種類に応じて、模擬信号の高度の値を設定し、模擬信号発生部８２０で発生させた模擬信号をアンテナ８５０から送信し、衛星信号受信装置１０で受信させる。これにより、衛星信号受信装置１０における制御装置４０の検査モード実行部４６０は、受信した衛星信号によって算出した位置情報の高度に基づく検査モードを実行する。
【００６７】
［運転検査モード］
検査モード実行部４６０は、前記高度が−５００ｍ未満、−５９９ｍ以上の場合には、電子時計１の運転検査モードを実行する。運転検査モードでは、例えば６０℃程度の高温雰囲気内および−１０℃程度の低温雰囲気内で、電子時計１の運転が、数時間〜数十時間行われる。運転検査における品質確認（良否判定）は、検査員が、電子時計１のモーターによる時刻表示の止まり、遅れを確認したり、試験後の二次電池２４の電圧等を確認することで行われる。
【００６８】
［ソーラーセル検査モード］
検査モード実行部４６０は、前記高度が−６００ｍ未満、−６９９ｍ以上の場合には、ソーラーセル検査モードを実行する。ソーラーセル検査モードでは、照明下でソーラーセル２２が発電し、二次電池２４が正常に充電されるかを確認する。例えば、二次電池２４が充電される場合には、検査モード実行部４６０は、秒針１２１で文字板１１のＹｅｓの位置（例えば１０秒位置）を指し、充電されないのであればＮｏの位置（例えば２０秒位置）を指して検査結果を指示する。検査員は、秒針１２１の指示結果によってソーラーセル２２の良否を判定する。
【００６９】
［感度検査モード］
検査モード実行部４６０は、前記高度が−７００ｍ未満、−７９９ｍ以上の場合には、感度検査モードを実行する。感度検査モードでは、ＧＰＳシミュレーター８００で定められた値の模擬信号を発信し、検査モード実行部４６０は受信した値を秒針１２１で表示する。検査員は、秒針１２１で表示された値が、前記定められた値であるかを確認することで、感度検査の良否を判定する。
【００７０】
［歩度検査モード］
検査モード実行部４６０は、前記高度が−８００ｍ未満、−８９９ｍ以上の場合には、歩度検査モードを実行する。歩度検査モードは、電子時計１の精度が月差±１０秒に収まるかどうか確認するものである。検査モード実行部４６０は、秒針１２１のモーターのみを１秒毎に運針させて、モーターの電磁パルスを測定機にて測定する。検査員は、前記測定機で測定された電磁パルスの間隔を測定して１秒の精度を確認する。
【００７１】
［デバイス検査モード］
検査モード実行部４６０は、前記高度が−９００ｍ未満、−９９９ｍ以上の場合には、デバイス検査モードを実行する。デバイス検査モードでは、検査モード実行部４６０は、記憶装置６０に正常な値が書き込まれているか確認する。例えば正常な値が書き込まれているのであれば、検査モード実行部４６０は秒針１２１で文字板１１のＹｅｓの位置（例えば１０秒位置）を指し、正常な値が書き込まれていないのであればＮｏの位置（例えば２０秒位置）を指して検査結果を指示する。
【００７２】
制御装置４０は、前記検査モードを実行して検査結果を表示すると、一定時間（例えば１〜２分程度）経過後に検査モードを終了する（ＳＡ１８）。そして、制御装置４０は、手動受信処理ＳＡ１０を終了し、通常の時刻表示を行う時計モードに戻る。なお、検査結果表示中に、検査員が所定のボタン操作を行った場合も、時計モードに戻るようにしてもよい。
【００７３】
なお、ＧＰＳシミュレーター８００の模擬信号発生部８２０は、運転検査モードを実行させる場合は算出した位置情報の高度が−５５０ｍとなる模擬信号を発生し、ソーラーセル検査モードを実行させる場合は前記高度が−６５０ｍの模擬信号を発生し、感度検査モードを実行させる場合は前記高度が−７５０ｍの模擬信号を発生し、歩度検査モードを実行させる場合は前記高度が−８５０ｍの模擬信号を発生し、デバイス検査モードを実行させる場合は前記高度が−９５０ｍの模擬信号を発生している。
また、ＧＰＳシミュレーター８００は、前述のとおり、衛星信号受信装置１０で模擬信号を受信し、位置情報算出部４４０で位置情報を算出した際に、高度、緯度、経度などが設定した値となるように、４つの衛星信号の軌道情報などをシミュレーションして模擬信号を発生させている。このため、位置情報算出部４４０では、模擬信号を受信して位置情報を算出した場合に、高度に関しては約１０ｍ程度の誤差が生じる可能性がある。
検査モード実行部４６０は、この誤差を考慮して、前述のとおり、検査モードを判定する条件として、約１００ｍの範囲を設定して判断している。このため、検査モード実行部４６０は、ＧＰＳシミュレーター８００で設定された高度に対応する検査モードを正しく判断でき、設定された検査モードを確実に実行できる。
【００７４】
〔第１実施形態の作用効果〕
このような第１実施形態によれば、以下のような作用効果が得られる。
（１）検査モード実行部４６０は、位置情報算出部４４０で算出した位置情報の高度が、特定の値である場合に検査モードを実行する。このため、検査員がボタン操作で検査モードを実行する必要が無く、ＧＰＳシミュレーター８００で発生する模擬信号を、実行する検査モードに合わせて設定し、操作部７０で測位モードでの受信操作を行うだけでよいので、検査工程を容易に実行できる。このため、工場の製造ラインにおける検査工程における作業効率を向上できる。
また、ボタン操作で検査モードを実行しないので、ユーザーの意図しないボタン操作で誤って検査モードを実行することも確実に防止できる。
【００７５】
（２）検査モードの実行を指示する特定の高度を、現実には受信することができない−５００ｍ未満に設定したので、実際に屋外でＧＰＳ衛星１００の衛星信号を受信した場合に、検査モードが実行されることがない。すなわち、ＧＰＳシミュレーター８００による模擬信号を受信した場合のみ検査モードを実行することができる。
【００７６】
（３）前記高度の値によって各種の検査モードを選択して実行するため、検査員は、測位モードでの受信操作を行うだけで、様々な検査モードを実行できる。この点でも、検査工程の作業効率を向上できる。
【００７７】
［第２実施形態］
次に、本発明の第２実施形態を図面に基づいて説明する。なお、手動受信処理以外は、前記第１実施形態と同様であるから、その説明は省略する。
【００７８】
図６は、第２実施形態における制御装置４０での手動受信処理ＳＢ１０を示すフローチャートである。
制御装置４０は、図６に示すように、ＳＢ１１〜ＳＢ１８の処理を行う。ここで、ＳＢ１１〜ＳＢ１４，ＳＢ１６，ＳＢ１８の処理は、第１実施形態におけるＳＡ１１〜ＳＡ１４，ＳＡ１６，ＳＡ１８と同じ処理であるため、説明を省略する。
【００７９】
第１実施形態では、ＳＡ１５において、算出した位置情報の高度の値によって検査モードを実行するかを判定していた。
これに対し、第２実施形態では、制御装置４０は、算出した位置情報のうち、高度ではなく、緯度または経度で検査モードを特定して実行する点が相違する。
すなわち、ＳＢ１３でＹｅｓと判定した場合、制御装置４０は、位置情報算出部４４０で算出した位置情報における緯度または経度が予め設定された検査モード用の条件に該当するか否かを判定する（ＳＢ１５）。
【００８０】
制御装置４０は、ＳＢ１５でＮｏと判定した場合、第１実施形態と同様に、時刻修正部４５０によって、取得した時刻情報によって内部時刻を修正し、位置情報によってタイムゾーンデータ６５０を修正する（ＳＢ１６）。内部時刻データ６３０およびタイムゾーンデータ６５０が修正されると、時計表示用時刻データ６４０も修正され、指針１２の指示も連動して修正される。
【００８１】
一方、制御装置４０は、ＳＢ１５でＹｅｓと判定した場合は、検査モードの種類を判断して、検査を実行する（ＳＢ１７）。
ここで、検査モード用の緯度、経度とは、実際に存在する地球上の場所であるが、一般的なユーザーがその場所にいる可能性が殆ど無い場所（例えば、北極点や南極点近辺や、太平洋や大西洋の洋上）を示すように設定している。これにより、位置情報の緯度、経度を取得した際に、通常の測位モードでの受信を行っているのか、あるいは、ＧＰＳシミュレーター８００による検査モードの実行が指示されているのかを判断できる。
【００８２】
［検査モードの判断および実行］
ＳＢ１７での具体的な判断および実行方法について、表２を参照に説明する。
制御装置４０の検査モード実行部４６０は、ＳＢ１４で算出した位置情報の緯度、経度が、検査モード設定記憶部６７０に記憶される表２のいずれかの条件に該当する場合に、対応する検査モードを実行する。なお、表２の各検査モードは、電子時計１の記憶装置６０に記録されている受信に関する情報を表示する処理を行う。
【００８３】
【表２】
2014163706.tif 000004
【００８４】
［自動受信履歴の表示モード］
表２に示すように、検査モード実行部４６０は、算出した緯度、経度が北緯８９．９〜９０．０度、東経０〜０．１度の範囲内である場合、つまり北極点近辺の位置情報である場合には、自動受信履歴の記録を表示する検査モードを実行する。なお、北極点の近辺であるかは緯度のみで判定できるため、緯度のみで上記検査モードを判定してもよい。
ここで、自動受信履歴とは以下のものである。衛星信号受信装置１０は、予め決められた時刻に自動的に受信を開始する定時受信や、ソーラーセル２２の発電電圧が閾値以上となった場合つまり所定照度以上の光を受光して電子時計１が屋外に配置されていることを検出した場合に自動的に受信を開始する光自動受信などの自動受信処理を行うことができる。そして、衛星信号受信装置１０は、自動受信を開始した時間と受信結果を記憶装置６０に記録する。
検査モード実行部４６０は、自動受信履歴の記録を表示する検査モードを実行すると、記憶装置６０に記録された自動受信の開始時刻および受信結果の履歴を表示する。
例えば、検査モード実行部４６０は、最新の受信結果（受信の成功または失敗）を秒針１２１で表示し、その受信開始時刻を時針１２３および分針１２２で表示する。その前の受信履歴を表示するには、ボタン１５、１６の一方を押す。また、現在表示中の履歴よりも後の受信履歴を表示するには、ボタン１５、１６の他方を押す。
なお、デジタル表示部を備えた電子時計１であれば、複数の受信履歴を一度に表示することができる。さらに、スピーカーやヘッドフォン等の音声出力部を備える場合には、受信履歴を音声によって出力してもよい。
【００８５】
［受信の成功率の表示モード］
検査モード実行部４６０は、算出した緯度、経度が南緯８９．９〜９０．０度、西経０〜０．１度の範囲内である場合、つまり南極点近辺の位置情報である場合には、受信の成功率の記録を表示する検査モードを実行する。なお、南極点の近辺であるかは緯度のみで判定できるため、緯度のみで上記検査モードを判定してもよい。
ここで、受信の成功率とは、成功数を受信回数で除算して求められた値である。検査モード実行部４６０は、受信の成功率の記録を表示する検査モードを実行すると、記憶装置６０に記憶された成功数と受信回数とで受信の成功率を算出し、前記成功率の数値を、指針１２やデジタル表示部などで表示したり、音声出力部で出力する。
【００８６】
［受信レベルの表示モード］
検査モード実行部４６０は、算出した緯度、経度が北緯０．０〜０．１度、西経１７３．０〜１７３．１度の範囲内である場合、つまり赤道付近の太平洋上の位置情報である場合には、受信レベルの記録を表示する検査モードを実行する。
ここで、受信レベルとは、受信処理ごとに記録されたＧＰＳ衛星１００の信号強度である。検査モード実行部４６０は、受信レベルを表示する検査モードを実行すると、記憶装置６０に記憶された信号強度の値を、指針１２やデジタル表示部などで表示したり、音声出力部で出力する。
【００８７】
［閏秒の表示モード］
検査モード実行部４６０は、算出した緯度、経度が南緯０．０〜０．１度、西経２５．０〜２５．１度の範囲内である場合、つまり赤道付近の大西洋上の位置情報である場合には、閏秒の記録を表示する検査モードを実行する。
すなわち、衛星信号受信装置１０は、定期的に閏秒情報を受信して閏秒更新データ６２０に記憶し、常に最新の閏秒を用いてＧＰＳ時刻をＵＴＣに変換する仕組みになっている。検査モード実行部４６０は、閏秒を表示する検査モードを実行すると、記憶装置６０の閏秒更新データ６２０に記録されている現在の閏秒を、指針１２やデジタル表示部などで表示したり、音声出力部で出力する。
【００８８】
〔第２実施形態の作用効果〕
このような第２実施形態によれば、前記第１実施形態と同様の作用効果が得られる。
（１）検査モード実行部４６０は、位置情報算出部４４０で算出した位置情報の緯度、経度が特定の値である場合に検査モードを実行する。このため、検査員がボタン操作で検査モードを実行する必要が無く、ＧＰＳシミュレーター８００で発生する模擬信号を、実行する検査モードに合わせて設定し、操作部７０で測位モードでの受信操作を行うだけでよいので、検査工程を容易に実行できる。このため、工場の製造ラインにおける検査工程における作業効率を向上できる。
また、ボタン操作で検査モードを実行しないので、ユーザーの意図しないボタン操作で誤って検査モードを実行することも確実に防止できる。
【００８９】
（２）検査モードの実行を指示する特定の緯度、経度を、一般的なユーザーでは現実には受信することができない北極点、南極点近辺や、太平洋、大西洋の洋上の位置に設定したので、実際に屋外でＧＰＳ衛星１００の衛星信号を受信した場合に、検査モードが実行されることは殆どない。すなわち、ＧＰＳシミュレーター８００による模擬信号を受信した場合のみ検査モードを実行することができる。
【００９０】
（３）電子時計１における受信履歴の記録を表示、出力できるので、検査員は、ユーザーがどのような状態で電子時計１を使っているかを判定でき、適切に対応できる。
例えば、検査員は、受信成功率が低い場合には、できるだけ空が開けた場所で受信すると受信成功率が上がり、常に正確な時間を表示できることを、ユーザーに対してアドバイスできる。また、検査員は、自動受信履歴などを確認することで、プログラム（ＣＰＵのソフトウェア）が正常に動いているかを判定できる。
【００９１】
［第３実施形態］
次に、本発明の第３実施形態を図面に基づいて説明する。なお、手動受信処理以外は、前記第１実施形態と同様であるから、その説明は省略する。
【００９２】
図７は、第３実施形態における制御装置４０での手動受信処理ＳＣ１０を示すフローチャートである。
制御装置４０は、図７に示すように、ＳＣ１１〜ＳＣ１８の処理を行う。ここで、ＳＣ１１〜ＳＣ１４，ＳＣ１６，ＳＣ１８の処理は、第１実施形態のＳＡ１１〜ＳＡ１４，ＳＡ１６、ＳＡ１８や第２実施形態のＳＢ１１〜ＳＢ１４，ＳＢ１６，ＳＢ１８と同じ処理であるため、説明を省略する。
【００９３】
前記第１実施形態のＳＡ１５では、算出した位置情報の高度の値によって検査モードの実行を判定し、第２実施形態のＳＢ１５では、算出した位置情報の緯度、経度の値によって検査モードの実行を判定していた。
これに対し、第３実施形態の制御装置４０は、ＳＣ１４で位置情報を算出すると、前回の位置情報の受信時からの経過時間と、前回の受信時の位置情報から今回算出した位置情報までの移動距離とが、検査モード用の条件に該当するか否かを判定する（ＳＣ１５）。
【００９４】
検査モードの判定用の経過時間および移動距離は、前記経過時間内に、一般的に最も早い移動手段である飛行機によっても移動できない距離であると判定した場合に、検査モードを実行するように構成されている。
これにより、場所の位置情報を取得した際に、通常の測位モードでの受信を行っているのか、あるいは、ＧＰＳシミュレーター８００による検査モードの実行が指示されているのかを判断できる。
具体的には、ＳＣ１５では、検査モード設定記憶部６７０に記憶される表３に示すように、前回の受信時から今回の受信時までの経過時間が１時間以内であり、かつ、前回の受信時に算出した位置から今回の受信で算出した位置までの移動距離が２０００〜５９９９ｋｍの範囲であれば、検査モード用の条件に該当し、ＳＣ１５でＹｅｓと判定する。一方、上記条件に該当しない場合、ＳＣ１５でＮｏと判定する。
【００９５】
【表３】
2014163706.tif 000005
【００９６】
制御装置４０は、ＳＣ１５でＮｏと判定した場合、第１、２実施形態と同様に、時刻修正部４５０によって、取得した時刻情報によって内部時刻を修正し、位置情報によってタイムゾーンデータ６５０を修正する（ＳＣ１６）。内部時刻データ６３０およびタイムゾーンデータ６５０が修正されると、時計表示用時刻データ６４０も修正され、指針１２の指示も連動して修正される。
【００９７】
一方、制御装置４０は、ＳＣ１５でＹｅｓと判定した場合は、検査モードの種類を判断して、検査を実行する（ＳＣ１７）。
【００９８】
［検査モードの判断および実行］
ＳＣ１７での具体的な判断および実行方法について、表３を参照に説明する。
制御装置４０の検査モード実行部４６０は、ＳＣ１５でＹｅｓと判定されると、表３に示すように、経過時間および移動距離に対応する検査モードを実行する。各検査モードは、第２実施形態と同じため、その内容の説明は省略する。
【００９９】
検査モード実行部４６０は、経過時間が１時間以内であり、かつ、移動距離が２０００〜２９９９ｋｍの範囲である場合には、自動受信履歴の記録を表示する検査モードを実行する。
検査モード実行部４６０は、経過時間が１時間以内であり、かつ、移動距離が３０００〜３９９９ｋｍの範囲である場合には、受信の成功率の記録を表示する検査モードを実行する。
検査モード実行部４６０は、経過時間が１時間以内であり、かつ、移動距離が４０００〜４９９９ｋｍの範囲である場合には、受信レベルの記録を表示する検査モードを実行する。
検査モード実行部４６０は、経過時間が１時間以内であり、かつ、移動距離が４０００〜４９９９ｋｍの範囲である場合には、閏秒の記録を表示する検査モードを実行する。
【０１００】
〔第３実施形態の作用効果〕
このような第３実施形態によれば、前記第１、２実施形態と同様の作用効果が得られる。
（１）検査モード実行部４６０は、測位モードでの２回の受信処理によって求められる経過時間および移動距離が、設定条件に該当する場合に検査モードを実行する。このため、検査員がボタン操作で検査モードを実行する必要が無く、ＧＰＳシミュレーター８００の模擬信号を、２回の受信処理時に異なる場所（前記移動距離の条件に該当するような位置）を算出するように変更し、操作部７０で測位モードでの受信操作を行うだけでよいので、検査工程を容易に実行できる。このため、工場の製造ラインにおける検査工程における作業効率を向上できる。
また、ボタン操作で検査モードを実行しないので、ユーザーの意図しないボタン操作で誤って検査モードを実行することも確実に防止できる。
【０１０１】
（２）また、本実施形態では、受信操作を２回行う必要はあるが、検査モードの実行を指示する特定の移動距離および経過時間は、飛行機などの移動手段では実現不可能な値を検査モード用の条件としたので、実際に屋外でＧＰＳ衛星１００の衛星信号を受信した場合に、検査モードが実行されることがない。従って、ＧＰＳシミュレーター８００による模擬信号を受信した場合のみ検査モードを実行することができる。
【０１０２】
（３）電子時計１における受信履歴の記録を表示、出力できるので、検査員は、ユーザーがどのような状態で電子時計１を使っているかを判定でき、適切に対応できる。従って、前記第２実施形態と同じく、検査員は、ユーザーに対して適切な使い方をアドバイスしたり、プログラムが正常に動いているかを判定できる。
【０１０３】
［第４実施形態］
次に、本発明の第４実施形態を図面に基づいて説明する。なお、本実施形態の電子時計の構造は、前記第１実施形態と同様であるから、その説明は省略する。
【０１０４】
図８は、第４実施形態における衛星信号受信装置１０Ｄの回路構成を示すブロック図であり、図９は制御装置４０での手動受信処理ＳＣ１０を示すフローチャートである。
衛星信号受信装置１０Ｄは、制御装置４０に、検査モード実行部４６０の代わりに書き換えモード実行部４７０（書き換え処理実行部）が設けられている点のみが前記各実施形態と相違する。このため、書き換えモード実行部４７０以外の構成の説明は省略する。
【０１０５】
制御装置４０は、図９に示すように、ＳＤ１１〜ＳＤ１７の処理を行う。ここで、ＳＤ１１〜ＳＤ１４，ＳＤ１６の処理は、第１実施形態のＳＡ１１〜ＳＡ１４，ＳＡ１６などと同じ処理であるため、説明を省略する。
【０１０６】
前記各実施形態では、受信した衛星信号に基づいて算出した位置情報の緯度、経度、高度の少なくともいずれかによって検査モードの実行を判定していた。
これに対し、第４実施形態の制御装置４０は、検査モードを実行するものではなく、書き換えモード実行部４７０によって、電子時計１の記憶装置６０に記憶された各種の設定値（データ）の書き換えを実行するものである。
【０１０７】
ＳＤ１３でＹｅｓと判定した場合、制御装置４０は、算出した位置情報における高度が−５００ｍ未満であるか否かを判定する（ＳＤ１５）。制御装置４０は、ＳＤ１５でＮｏと判定した場合、時刻修正部４５０によって、取得した時刻情報によって内部時刻を修正し、位置情報によってタイムゾーンデータ６５０を修正する（ＳＤ１６）。内部時刻データ６３０およびタイムゾーンデータ６５０が修正されると、時計表示用時刻データ６４０も修正され、指針１２の指示も連動して修正される。
【０１０８】
一方、制御装置４０は、ＳＤ１５でＹｅｓと判定した場合は、書き換え対象を選択し、緯度、経度の値でデータを設定して書き換えを実行する（ＳＤ１７）。
ここで、書き換えモード実行部４７０は、検査モード設定記憶部６７０に記憶される表４に示すように、取得した高度に応じて書き換え対象を選択する。すなわち、書き換えモード実行部４７０は、前記高度が−５００ｍ未満、−５９９ｍ以上の場合には、受信回路３０の同調コンデンサーの設定値を書き換え対象とする。
また、書き換えモード実行部４７０は、前記高度が−６００ｍ未満、−６９９ｍ以上の場合には、モーターパラメーターを書き換え対象とする。
さらに、書き換えモード実行部４７０は、前記高度が−７００ｍ未満、−７９９ｍ以上の場合には、タイムゾーンの設定値を書き換え対象とする。
また、書き換えモード実行部４７０は、前記高度が−８００ｍ未満、−８９９ｍ以上の場合には、サマータイムの設定値を書き換え対象とする。
【０１０９】
【表４】
2014163706.tif 000006
【０１１０】
［同調コンデンサー設定値の書き換え］
書き換えモード実行部４７０は、高度が−５００ｍ未満、−５９９ｍ以上の場合、同調コンデンサーの設定値を経度の値で書き換える。すなわち、図１０に示すように、ＧＰＳアンテナ２３には、３つの同調コンデンサー２３５、２３６、２３７およびスイッチＳＷ１、ＳＷ２、ＳＷ３、抵抗２３８を備えた同調回路が接続されている。
電子時計１では、様々なデザインの時計を製造する際のコストを削減するため、衛星信号受信装置１０が組み込まれるムーブメントは共通化している。すなわち、内部のムーブメントを作成し、外装ケース１７は時計のデザインに応じて形状や材質を変更している。この際、ＧＰＳアンテナ２３で同調する周波数は、外装ケース１７の材質などによって異なる。
そこで、本実施形態では、容量の異なる３つの同調コンデンサー２３５、２３６、２３７を用意し、表５に示すように、各スイッチＳＷ１、ＳＷ２、ＳＷ３のオン、オフを選択することで、８種類の周波数に同調できるように設定している。制御装置４０の書き換えモード実行部４７０は、スイッチＳＷ１、ＳＷ２、ＳＷ３のオン、オフの組み合わせを、表５に示すように、算出した経度の値で設定して記憶装置６０に記憶される各スイッチＳＷ１、ＳＷ２、ＳＷ３の設定値を書き換える。
電子時計１の制御装置４０をリセットして起動する際に、制御装置４０は記憶装置６０に記憶された各スイッチＳＷ１、ＳＷ２、ＳＷ３のオン、オフの設定値を読み出して、各スイッチＳＷ１、ＳＷ２、ＳＷ３のオン、オフを設定する。
また、制御装置４０は受信処理を行う際に、最初に記憶装置６０に記憶された各スイッチＳＷ１、ＳＷ２、ＳＷ３のオン、オフを読み出して、各スイッチＳＷ１、ＳＷ２、ＳＷ３のオン、オフを設定して、受信を開始しても良い。
【０１１１】
【表５】
2014163706.tif 000007
【０１１２】
［モーターパラメーターの書き換え］
電子時計１では、デザインのために、様々な種類の指針１２を取り付ける。取り付ける指針１２によって、回転モーメントが異なるため、モーターの駆動トルクの設定を変更する必要がある。
そこで、書き換えモード実行部４７０は、高度が−６００ｍ未満、−６９９ｍ以上の場合、モーターパラメーターの設定値を経度の値で書き換える。すなわち、表６に示すように、細い針、太い針、長い針、特殊針の４種類の指針１２が用意されている場合、モーターパラメーターを設定１〜設定４の４種類の設定値に切り替えるように設定している。書き換えモード実行部４７０は、この４種類の設定値を、算出した経度の値で設定して記憶装置６０に記憶されるモーターパラメーターの値を書き換える。
電子時計１の制御装置４０をリセットして起動する際に、制御装置４０は記憶装置６０に記憶されたモーターパラメーターを読み出して、読み出したパラメーターでモーターを駆動する。
【０１１３】
【表６】
2014163706.tif 000008
【０１１４】
［ブロックのタイムゾーン設定値の書き換え］
電子時計１は、衛星信号受信装置１０によって現在地を測位し、現在地に対応するタイムゾーン設定値（時差データ）をタイムゾーンデータ記憶部６８０から読み出して、タイムゾーンデータ６５０に設定することで、測位場所の時刻を表示できるようにしている。
ここで、タイムゾーンデータ記憶部６８０には、図１１に示すように、各地域を緯度および経度でブロックに区画し、ブロック毎にタイムゾーン設定値を設定する場合がある。このようにブロック毎にタイムゾーン設定値を設定することで、記憶容量を抑えつつ、全世界のタイムゾーンを設定できる利点がある。
【０１１５】
電子時計１が製造、販売された後に、各ブロックのタイムゾーンの設定値が変更された場合、これまでは電子時計１の裏蓋２０を外して、回路基板２５にアクセスし、タイムゾーンデータ記憶部６８０のデータを書き換える必要があった。
これに対し、本実施形態では、高度および緯度、経度の値によって、裏蓋２０を外すことなくデータを書き換えることができる。
【０１１６】
すなわち、書き換えモード実行部４７０は、高度が−７００ｍ未満、−７９９ｍ以上の場合、緯度の値で書き換え対象のブロックを選択し、経度の値で選択された領域のタイムゾーン設定値を書き換える。
すなわち、表７に示すように、緯度の値によって、区分されたブロック（地域）を選択する。表７では、緯度が北緯６９．９度以上、７０．０度未満の範囲の場合、書き換えモード実行部４７０は、図１０に示すブロックのうち、左上の地域１を選択する。また、緯度が北緯７０．０以上、７０．１度未満の範囲の場合、書き換えモード実行部４７０は、地域１の右側に位置する地域２を選択する。
また、書き換えモード実行部４７０は、地域１，２のタイムゾーンの設定値を、受信して算出した経度の値で設定して書き換える。例えば、緯度で地域１が選択され、経度が東経３．５〜３．９度の範囲の場合、現在の＋３．０時間の設定値を＋３．５時間に書き換える。
なお、表７の経度と設定値との対応表は、各地域によって設定値の数値や数が変わるため、地域毎に用意してタイムゾーンデータ記憶部６８０に記憶しておけばよい。
【０１１７】
【表７】
2014163706.tif 000009
【０１１８】
［代表都市のタイムゾーン設定値の書き換え］
タイムゾーンを書き換える場合、共通の地方標準時を用いる地域の代表都市を選択して設定する場合がある。このため、書き換えモード実行部４７０は、高度が−７００ｍ未満、−７９９ｍ以上の場合、緯度の値で書き換え対象の都市を選択し、経度の値で選択された都市のタイムゾーン設定値を書き換えてもよい。
すなわち、表８に示すように、緯度の値によって、タイムゾーンを設定する都市を選択する。表８では、緯度が北緯８９．９〜９０．０度の範囲であるため、書き換えモード実行部４７０は、都市として東京を選択する。
また、書き換えモード実行部４７０は、選択した都市のタイムゾーンの設定値を、受信して算出した経度の値で設定して書き換える。例えば、東経９．５〜９．９度の範囲の場合、現在の＋９．０時間の設定値を＋９．５時間に書き換える。
なお、表８の経度と設定値との対応表は、各都市によって設定値の数値が変わるため、都市毎に用意してタイムゾーンデータ記憶部６８０に記憶しておけばよい。
【０１１９】
【表８】
2014163706.tif 000010
【０１２０】
［サマータイム設定値の書き換え］
サマータイムの設定値を書き換える場合、書き換え対象の地域を選択して設定する。このため、書き換えモード実行部４７０は、高度が−８００ｍ未満、−８９９ｍ以上の場合、緯度の値で書き換え対象の地域を選択し、経度の値で選択された地域のサマータイムの有無やその時間を書き換える。
すなわち、表９に示すように、書き換えモード実行部４７０は、緯度の値によって、サマータイムを設定する地域を選択する。表９では、緯度が北緯８９．９〜９０．０度の範囲であるため、書き換えモード実行部４７０は、選択対象の地域として日本を選択する。
また、書き換えモード実行部４７０は、選択した地域のサマータイムの設定値を、受信して算出した経度の値で設定して書き換える。例えば、書き換えモード実行部４７０は、東経７．５〜７．９度の範囲の場合は「サマータイムなし」に設定し、東経８．０〜８．４度の範囲の場合は「サマータイムあり」とし、その時間は「＋１時間」とし、サマータイムの期間は「現地時間基準で、３月第２日曜日の午前２時から１１月第１日曜日の午前２時」とする。
なお、表９の経度と設定値との対応表は、各地域によって内容が変わるため、地域毎に用意してタイムゾーンデータ記憶部６８０に記憶しておけばよい。
【０１２１】
【表９】
2014163706.tif 000011
【０１２２】
〔第４実施形態の作用効果〕
このような第４実施形態によれば、前記第１〜３実施形態と同様に、以下の作用効果が得られる。
（１）書き換えモード実行部４７０は、位置情報算出部４４０で算出した位置情報の高度によって書き換えモード（書き換え処理）を選択し、緯度や経度によって、データの書き換え対象と、書き換えデータとを設定している。
このため、電子時計１の製造・販売後に、各種データを書き換える場合に、従来のように、電子時計１をサービスセンターに回収して裏蓋２０をあけて回路基板２５にアクセスする必要が無く、ＧＰＳシミュレーター８００で模擬信号を発生し、電子時計１で手動受信処理を行うだけでよいので、書き換え工程を容易に実行できる。このため、サービスセンターではなく、時計の販売店の店頭でも容易に書き換え作業を行うことができ、作業効率を向上できる。なお、データ書き換えのために、ＧＰＳシミュレーター８００が必要となるが、ＧＰＳシミュレーター８００自体は一般に販売している汎用品を利用できるため、コストも低下できる。
また、裏蓋２０を開閉する必要が無いため、電子時計１の防水性等が低下することも防止できる。
【０１２３】
（２）書き換えモードの実行を指示する特定の高度を、現実には受信することができない−５００ｍ未満に設定したので、実際に屋外でＧＰＳ衛星１００の衛星信号を受信した場合に、書き換えモードが実行されることがない。すなわち、ＧＰＳシミュレーター８００による模擬信号を受信した場合のみ検査モードを実行することができる。
【０１２４】
（３）タイムゾーンやサマータイムの設定値を書き換える場合に、書き換え対象の地域などを緯度の値で選択し、設定値を経度の値で書き換えることができるので、１回の受信処理で緯度、経度、高度の３つのデータを受信するだけ、容易に書き換えることができる。従って、書き換え作業の効率の向上できる。
【０１２５】
［他の実施形態］
なお、本発明は前記各実施形態の構成に限定されず、本発明の要旨の範囲内で種々の変形実施が可能である。
例えば、前記第１〜４実施形態では、手動受信処理によって検査モードあるいは書き換えモードを実行していたが、手動受信処理に限らず、緯度・経度・高度等の位置情報が算出できる受信処理を行うものであればよい。
また、検査モードとして、前記第２，３実施形態では、受信に関する情報を表示する処理を行うものとしたが、これに限らず、前記第１実施形態の検査モードを行うようにしてもよい。また、前記第１実施形態において、前記第２、３実施形態の検査モードを行うようにしてもよい。また、他の検査モードを行うようにしてもよい。
また、例えば、前記第１〜３実施形態では、手動受信処理によって１つの検査モードを実行していたが、複数の検査モードを継続して実行するように設定してもよい。すなわち、手動受信処理によって１つの検査モードを実行して終了したら、処理を一時停止する。そして、検査員が、例えば、ボタン１５を１回押すと、次の検査モードを実行する。この検査モードが終了したら、処理を一時停止し、さらにボタン１５が押されると、次の検査モードを実行する。以上の処理を繰り返し、設定されているすべての検査モードが終了するか、途中で検査モードを解除するためのボタン１６が押されると、検査モードを終了し、時刻を計時して表示する時計モードに移行してもよい。
さらに、１つの検査モードが終了した際に一時停止せずに、一連の検査モードを連続して実行しても良い。
【０１２６】
また、前記第４実施形態では、衛星信号受信装置１０で受信した衛星信号に基づいて位置情報を算出した際に、高度の値で書き換え対象を選択し、緯度が予め設定されている条件に該当するかで、書き換えデータを選択していた。これに対し、１回目の手動受信で得られた高度の値で書き換えモードに入り、書き換え対象を選択した後、ＧＰＳシミュレーター８００を緯度や経度の具体的な数値を送信するモードに切り替え、衛星信号受信装置１０で再度、手動受信処理を行って、位置情報算出部４４０で位置情報を算出せずに、前記緯度や経度の数値を直接受信し、その値で直接データを書き換えてもよい。
例えば、ブロック毎に決められたタイムゾーンを書き換える場合に、緯度でブロックの地域を選択し、経度で直接タイムゾーンの設定値を設定してもよい。例えば、タイムゾーンがＵＴＣに対して＋４時間の場合、東経４度を設定して送信し、＋５時間の場合、東経５度を設定して送信する。また、タイムゾーンがＵＴＣに対して−３時間の場合、西経３度を設定して送信し、−７時間の場合、西経７度を設定して送信する。すなわち、東経および西経によって、タイムゾーンの時差のプラスマイナスを指定し、経度の数値で時間を指定すれば良い。
【０１２７】
さらに、１回目の手動受信で得られた高度の値で書き換えモードに入り、書き換え対象を選択した後、ＧＰＳシミュレーター８００を緯度、経度、高度の具体的な数値を送信するモードに切り替え、衛星信号受信装置１０で再度、手動受信処理を行って、タイムゾーンを書き換える都市を、その都市の緯度および経度で直接選択し、前記高度の値でタイムゾーンの時差を直接書き換えても良い。
例えば、北緯３５度４１分、東経１３９度４５分で東京を選択し、高度＋９．５ｍで東京の時差をＵＴＣに対して＋９．５時間に書き換えてもよい。
【０１２８】
また、第４実施形態では、同調コンデンサー設定値、モーターパラメーター、タイムゾーン設定値、サマータイム設定値の４種類のデータを選択して書き換えるものであったが、これらの少なくとも１つのデータを書き換えるように設定してもよい。
さらに、データを書き換える対象としては、第４実施形態の４種類に限定されない。例えば、プログラムで利用する各種パラメーターなどを書き換えるようにしてもよい。この場合、パラメーターの設定などで不具合があった場合でも、容易に対応できる。
【０１２９】
また、書き換えモード実行部４７０は、制御装置４０のソフトウェアのプログラムを最適化するために、書き換えモードにおいて、プログラムの一部を書き換えることを可能にしてもよい。
さらに、書き換えモード実行部４７０は、制御装置４０のソフトウェアのプログラムを記憶装置６０に複数種類記憶させておいて、書き換えモードにおいて、実行するプログラムを選択する設定値を書き換えることを可能にしてもよい。
【０１３０】
位置情報算出部４４０が緯度、経度、高度を算出する際にその誤差が大きいと判断した時には、検査モード実行部４６０や書き換えモード実行部４７０は、検査モードや書き換えモードを実行しないように設定してもよい。
また、位置情報算出部４４０が緯度、経度、高度を算出する際に、３個の衛星信号しか受信できずに、２Ｄ測位（２次元測位）となった場合は、検査モード実行部４６０や書き換えモード実行部４７０は、検査モードや書き換えモードを実行しないように設定してもよい。
さらに、位置情報算出部４４０が緯度、経度、高度を算出する際に、衛星数が少ない時や、信号レベルが低い時など精度が低いと考えられるときには、検査モード実行部４６０や書き換えモード実行部４７０は、検査モードや書き換えモードを実行しないように設定してもよい。
本発明では、通常の測位では得られる可能性が殆ど無い緯度、経度、高度を取得した場合に、検査モードや書き換えモードを実行している。従って、屋外で実際のＧＰＳ衛星１００の衛星信号を受信して測位している場合には、検査モードや書き換えモードが実行されることはない。ただし、衛星信号の信号レベルが低い場合や衛星数が少ない場合など、位置情報算出部４４０で算出した緯度、経度、高度に誤差が含まれている場合、検査モードや書き換えモードの実行条件に該当してしまう可能性がある。
これに対し、本変形例のように、誤差が大きいと判断した場合等には検査モードや書き換えモードを実行しないように設定すれば、屋外で実際のＧＰＳ衛星１００の衛星信号を受信している場合などに、誤って検査モードや書き換えモードが実行されることを防止できる。
【０１３１】
また、前記実施形態では、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）やＳＢＡＳなどの静止衛星や準天頂衛星などの時刻情報を含む衛星信号を発信する位置情報衛星でも良い。
なお、前記各種位置情報衛星において使用する衛星の種類の設定などを、電子時計１の出荷国ごとに、ＧＰＳシミュレーター８００を利用して書き換えてもよい。例えば、日本やその周辺国では、ＧＰＳ衛星１００以外に準天頂衛星の衛星信号を受信して測位の精度を向上させることができる。このため、日本や周辺国に販売する電子時計１は、準天頂衛星の衛星信号も取得する対象とするように、ＧＰＳシミュレーター８００を用いて設定すればよい。このように設定すれば、準天頂衛星を受信できない地域で使用する電子時計１において、準天頂衛星の衛星信号を受信しようとするために受信時間が長くなり、電力を消費してしまう問題を防止できる。
【０１３２】
さらに、電子時計１の制御装置４０に、前記第１〜３実施形態の検査モード実行部４６０と、前記第４実施形態の書き換えモード実行部４７０の両方を設けてもよい。この場合、例えば、表１０に示すように、検査モードを実行する高度の値と、書き換えモードを実行する高度の値とを異ならせればよい。
【０１３３】
【表１０】
2014163706.tif 000012
【０１３４】
本発明の衛星信号受信装置やこの衛星信号受信装置を有する電子時計は、腕時計に限定されず、例えば、携帯電話、登山などに用いられる携帯型のＧＰＳ受信機など、電池等で駆動されて位置情報衛星から送信される衛星信号を受信する電子機器に広く利用できる。
また、電子機器として電子時計を開示したが、これに限定されず、衛星信号を受信して動作する他の電子機器に本発明を適用することも可能である。
【符号の説明】
【０１３５】
１…電子時計、１０…衛星信号受信装置、２３…アンテナ、３０…受信回路、４０…制御装置、５０…計時装置、６０…記憶装置、７０…操作部、１００…ＧＰＳ衛星、４１０…定時受信制御部、４２０…手動測時受信制御部、４３０…手動測位受信制御部、４４４０…位置情報算出部、４５０…時刻修正部、４６０…検査モード実行部、４７０…書き換えモード実行部、６００…時刻データ記憶部、６１０…受信時刻データ、６２０…閏秒更新データ、６３０…内部時刻データ、６４０…時計表示用時刻データ、６５０…タイムゾーンデータ、６８０…タイムゾーンデータ記憶部、６９０…定時受信時刻記憶部、８００…ＧＰＳシミュレーター、８１０…模擬信号設定部、８２０…模擬信号発生部、８５０…アンテナ。
【図１】
2014163706.tif 000013
【図２】
2014163706.tif 000014
【図３】
2014163706.tif 000015
【図４】
2014163706.tif 000016
【図５】
2014163706.tif 000017
【図６】
2014163706.tif 000018
【図７】
2014163706.tif 000019
【図８】
2014163706.tif 000020
【図９】
2014163706.tif 000021
【図１０】
2014163706.tif 000022
【図１１】
2014163706.tif 000023